(57)【要約】【課題】簡易な構造を有するとともに、高いデザインの自由度を有する板状部材を提供する。【解決手段】板状部材１は、第１の正三角形の輪郭を有するおもて面１０と、第２の正三角形の輪郭を有する裏面２０とを含む。おもて面１０は、第１の領域１０ａと第２の領域１０ｂとからなる。裏面２０は、第３の領域２０ａと第４の領域２０ｂとからなる。第１の領域１０ａは、第２の領域１０ｂと、色、色の濃さ、光透過率、光吸収率、光反射率及び光拡散率の少なくとも１つにおいて異なる。第３の領域２０ａは、第４の領域２０ｂと、色、色の濃さ、光透過率、光吸収率、光反射率及び光拡散率の少なくとも１つおいて異なる。【選択図】図１
0003214035.tif 000002
【実用新案登録請求の範囲】
【請求項１】
第１頂点と第２頂点と第３頂点とを含む第１の正三角形の輪郭を有するおもて面と、
第４頂点と第５頂点と第６頂点とを含む第２の正三角形の輪郭を有する裏面とを含み、前記第２の正三角形は実質的に前記第１の正三角形に合同であり、
前記第１頂点、前記第２頂点及び前記第３頂点は、それぞれ、前記第４頂点、前記第５頂点及び前記第６頂点に対向しており、
前記おもて面は、第１の領域と第２の領域とからなり、
前記第１の領域は、前記第１頂点と、第１中点と、第２中点とからなる３つの頂点を含む正三角形の領域であり、前記第１中点は実質的に前記第１頂点と前記第２頂点とを結ぶ第１辺の中点であり、前記第２中点は実質的に前記第１頂点と前記第３頂点とを結ぶ第２辺の中点であり、
前記第２の領域は、前記第１中点と、前記第２中点と、前記第２頂点と、前記第３頂点とからなる４つの頂点を含む台形の領域であり、
前記裏面は、第３の領域と第４の領域とからなり、
前記第３の領域は、前記第４頂点と、第３中点と、第４中点とからなる３つの頂点を含む正三角形の領域であり、前記第３中点は実質的に前記第４頂点と前記第５頂点とを結ぶ第３辺の中点であり、前記第４中点は実質的に前記第４頂点と前記第６頂点とを結ぶ第４辺の中点であり、
前記第４の領域は、前記第３中点と、前記第４中点と、前記第５頂点と、前記第６頂点とからなる４つの頂点を含む台形の領域であり、
前記第１の領域は、前記第２の領域と、色、色の濃さ、光透過率、光吸収率、光反射率及び光拡散率の少なくとも１つにおいて異なっており、
前記第３の領域は、前記第４の領域と、色、色の濃さ、光透過率、光吸収率、光反射率及び光拡散率の少なくとも１つおいて異なっている、板状部材。
【請求項２】
前記第１の領域は、前記第４の領域と、色、色の濃さ、光透過率、光吸収率、光反射率及び光拡散率において実質的に等しい、請求項１に記載の板状部材。
【請求項３】
前記第２の領域は、前記第３の領域と、色、色の濃さ、光透過率、光吸収率、光反射率及び光拡散率において実質的に等しい、請求項２に記載の板状部材。
【請求項４】
第１頂点と第２頂点と第３頂点とを含む第１の正三角形の輪郭を有する第１主面を含む第１の板状部材と、
第４頂点と第５頂点と第６頂点とを含む第２の正三角形の輪郭を有する第２主面を含む第２の板状部材とを備え、前記第２の正三角形は実質的に前記第１の正三角形に合同であり、
前記第１主面は、第１の領域と第２の領域とからなり、
前記第１の領域は、前記第１頂点と、第１中点と、第２中点とからなる３つの頂点を含む正三角形の領域であり、前記第１中点は実質的に前記第１頂点と前記第２頂点とを結ぶ第１辺の中点であり、前記第２中点は実質的に前記第１頂点と前記第３頂点とを結ぶ第２辺の中点であり、
前記第２の領域は、前記第１中点と、前記第２中点と、前記第２頂点と、前記第３頂点とからなる４つの頂点を含む台形の領域であり、
前記第２主面は、第３の領域と第４の領域とからなり、
前記第３の領域は、前記第４頂点と、第３中点と、第４中点とからなる３つの頂点を含む正三角形の領域であり、前記第３中点は実質的に前記第４頂点と前記第５頂点とを結ぶ第３辺の中点であり、前記第４中点は実質的に前記第４頂点と前記第６頂点とを結ぶ第４辺の中点であり、
前記第４の領域は、前記第３中点と、前記第４中点と、前記第５頂点と、前記第６頂点とからなる４つの頂点を含む台形の領域であり、
前記第１の領域は、前記第２の領域と、色、色の濃さ、光透過率、光吸収率、光反射率及び光拡散率の少なくとも１つにおいて異なっており、
前記第３の領域は、前記第４の領域と、色、色の濃さ、光透過率、光吸収率、光反射率及び光拡散率の少なくとも１つおいて異なっている、板状部材セット。
【請求項５】
前記第１の領域は、前記第４の領域と、色、色の濃さ、光透過率、光吸収率、光反射率及び光拡散率において実質的に等しい、請求項４に記載の板状部材セット。
【請求項６】
前記第２の領域は、前記第３の領域と、色、色の濃さ、光透過率、光吸収率、光反射率及び光拡散率において実質的に等しい、請求項５に記載の板状部材セット。
【請求項７】
請求項１から請求項３のいずれか１項に記載の複数の前記板状部材が互いに組み合わされることによって構成されており、
前記複数の前記板状部材のうち互いに隣り合う２つの一方と他方とは、前記第１辺、前記第２辺、前記第３辺、前記第４辺、第５辺及び第６辺のうちの２つが互いに対向するように組み合わされており、前記第５辺は前記第２頂点と前記第３頂点とを結び、前記第６辺は前記第５頂点と前記第６頂点とを結ぶ、板状部材集合体。
【請求項８】
請求項４から請求項６のいずれか１項に記載の前記板状部材セットの複数の前記第１の板状部材と複数の前記第２の板状部材とが互いに組み合わされることによって構成されており、
前記複数の前記第１の板状部材と前記複数の前記第２の板状部材のうち互いに隣り合う２つの一方と他方とは、前記第１辺、前記第２辺、前記第３辺、前記第４辺、第５辺及び第６辺のうちの２つが互いに対向するように組み合わされており、前記第５辺は前記第２頂点と前記第３頂点とを結び、前記第６辺は前記第５頂点と前記第６頂点とを結ぶ、板状部材集合体。
【考案の詳細な説明】
【技術分野】
【０００１】
本考案は、板状部材、板状部材セット及び板状部材集合体に関する。
【背景技術】
【０００２】
実用新案登録第３０６９０８１号公報（特許文献１）は、木製の菱形形状を有する床材を開示している。
【先行技術文献】
【特許文献】
【０００３】
【特許文献１】実用新案登録第３０６９０８１号公報
【考案の概要】
【考案が解決しようとする課題】
【０００４】
本考案の目的は、簡易な構造を有するとともに、高いデザインの自由度を有する板状部材、板状部材セット及び板状部材集合体を提供することである。
【課題を解決するための手段】
【０００５】
本考案の板状部材は、第１の正三角形の輪郭を有するおもて面と、第２の正三角形の輪郭を有する裏面とを含む。第１の正三角形は、第１頂点と、第２頂点と、第３頂点とを含む。第２の正三角形は、第４頂点と、第５頂点と、第６頂点とを含む。第２の正三角形は、実質的に、第１の正三角形に合同である。第１頂点、第２頂点及び第３頂点は、それぞれ、第４頂点、第５頂点及び第６頂点に対向している。おもて面は、第１の領域と第２の領域とからなる。第１の領域は、第１頂点と、第１中点と、第２中点とからなる３つの頂点を含む正三角形の領域である。第１中点は、実質的に、第１頂点と第２頂点とを結ぶ第１辺の中点である。第２中点は、実質的に、第１頂点と第３頂点とを結ぶ第２辺の中点である。第２の領域は、第１中点と、第２中点と、第２頂点と、第３頂点とからなる４つの頂点を含む台形の領域である。裏面は、第３の領域と第４の領域とからなる。第３の領域は、第４頂点と、第３中点と、第４中点とからなる３つの頂点を含む正三角形の領域である。第３中点は、実質的に、第４頂点と第５頂点とを結ぶ第３辺の中点である。第４中点は、実質的に、第４頂点と第６頂点とを結ぶ第４辺の中点である。第４の領域は、第３中点と、第４中点と、第５頂点と、第６頂点とからなる４つの頂点を含む台形の領域である。第１の領域は、第２の領域と、色、色の濃さ、光透過率、光吸収率、光反射率及び光拡散率の少なくとも１つにおいて異なっている。第３の領域は、第４の領域と、色、色の濃さ、光透過率、光吸収率、光反射率及び光拡散率の少なくとも１つおいて異なっている。
【０００６】
本考案の板状部材セットは、第１主面を含む第１の板状部材と、第２主面を含む第２の板状部材とを備える。第１主面は、第１頂点と第２頂点と第３頂点とを含む第１の正三角形の輪郭を有する。第２主面は、第４頂点と第５頂点と第６頂点とを含む第２の正三角形の輪郭を有する。第２の正三角形は、実質的に、第１の正三角形に合同である。第１主面は、第１の領域と第２の領域とからなる。第１の領域は、第１頂点と、第１中点と、第２中点とからなる３つの頂点を含む正三角形の領域である。第１中点は、実質的に、第１頂点と第２頂点とを結ぶ第１辺の中点である。第２中点は、実質的に、第１頂点と第３頂点とを結ぶ第２辺の中点である。第２の領域は、第１中点と、第２中点と、第２頂点と、第３頂点とからなる４つの頂点を含む台形の領域である。第２主面は、第３の領域と第４の領域とからなる。第３の領域は、第４頂点と、第３中点と、第４中点とからなる３つの頂点を含む正三角形の領域である。第３中点は、実質的に、第４頂点と第５頂点とを結ぶ第３辺の中点である。第４中点は、実質的に、第４頂点と第６頂点とを結ぶ第４辺の中点である。第４の領域は、第３中点と、第４中点と、第５頂点と、第６頂点とからなる４つの頂点を含む台形の領域である。第１の領域は、第２の領域と、色、色の濃さ、光透過率、光吸収率、光反射率及び光拡散率の少なくとも１つにおいて異なっている。第３の領域は、第４の領域と、色、色の濃さ、光透過率、光吸収率、光反射率及び光拡散率の少なくとも１つおいて異なっている。
【０００７】
本考案の板状部材集合体は、本考案の複数の板状部材が互いに組み合わされることにより構成されている。本考案の別の板状部材集合体は、本考案の板状部材セットの複数の第１の板状部材と複数の第２の板状部材とが互いに組み合わされることにより構成されている。
【考案の効果】
【０００８】
本考案によれば、簡易な構造を有するとともに、高いデザインの自由度を有する板状部材、板状部材セット及び板状部材集合体を提供することができる。
【図面の簡単な説明】
【０００９】
【図１】実施の形態１に係る板状部材の概略斜視図である。
【図２】実施の形態１に係る板状部材の概略平面図である。
【図３】実施の形態１に係る板状部材の概略底面図である。
【図４】実施の形態１に係る板状部材集合体の概略平面図である。
【図５】実施の形態１の第１変形例に係る板状部材集合体の概略平面図である。
【図６】実施の形態１の第２変形例に係る板状部材集合体の概略部分拡大平面図である。
【図７】実施の形態２に係る板状部材セットの概略斜視図である。
【図８】実施の形態２に係る第１の板状部材の概略平面図である。
【図９】実施の形態２に係る第２の板状部材の概略平面図である。
【図１０】実施の形態２に係る板状部材集合体の概略平面図である。
【図１１】実施の形態３に係る物品の概略斜視図である。
【図１２】実施の形態３に係る物品の、図１１に示される領域ＸＩＩの概略部分拡大平面図である。
【図１３】実施の形態３に係る物品の、図１２に示される領域ＸＩＩＩの概略部分拡大平面図である。
【図１４】実施の形態３の変形例に係る物品の概略斜視図である。
【図１５】実施の形態３の変形例に係る物品の、図１４に示される領域ＸＶの概略部分拡大平面図である。
【考案を実施するための形態】
【００１０】
以下、本考案の実施の形態を説明する。なお、同一の構成には同一の参照番号を付し、その説明は繰り返さない。
【００１１】
（実施の形態１）
図１から図６を参照して、実施の形態１に係る板状部材１及び板状部材集合体３０，３０ｂを説明する。板状部材１は、図４及び図５に示されるように、パズル、積み木または組立ブロックのような玩具のピースであってもよい。板状部材１は、図６に示されるように、舗装材であってもよい。板状部材１は、特に限定されないが、装飾パネルのピース、床材または壁材であってもよい。板状部材集合体３０は、図４及び図５に示されるように、パズル、積み木または組立ブロックのような玩具であってもよい。板状部材集合体３０ｂは、図６に示されるように、舗道であってもよい。板状部材集合体３０，３０ｂは、特に限定されないが、装飾パネル、床または壁であってもよい。
【００１２】
板状部材１は、例えば、厚紙、樹脂、セラミック、煉瓦、布または金属で構成されてもよい。板状部材１は、硬質部材であってもよいし、可撓性部材であってもよい。
【００１３】
図１から図３に示されるように、板状部材１は、第１の正三角形の輪郭を有するおもて面１０と、第２の正三角形の輪郭を有する裏面２０とを含む。第１の正三角形は、第１頂点１１と、第２頂点１２と、第３頂点１３とを含む。第２の正三角形は、第４頂点２１と、第５頂点２２と、第６頂点２３とを含む。第２の正三角形は、実質的に、第１の正三角形に合同である。本明細書において、第２の正三角形が実質的に第１の正三角形に合同であることは、第２の正三角形が第１の正三角形と相似であり、かつ、第２の正三角形が、第１の正三角形の大きさの９５％以上１０５％以下の大きさを有することを意味する。第１頂点１１、第２頂点１２及び第３頂点１３は、それぞれ、第４頂点２１、第５頂点２２及び第６頂点２３に対向している。特定的には、第２の正三角形は第１の正三角形に合同であり、かつ、おもて面１０または裏面２０の平面視において、第１頂点１１、第２頂点１２及び第３頂点１３は、それぞれ、第４頂点２１、第５頂点２２及び第６頂点２３に重なってもよい。
【００１４】
図１及び図２に示されるように、おもて面１０は、第１の領域１０ａと第２の領域１０ｂとからなる。第１の領域１０ａは、第１頂点１１と、第１中点１７と、第２中点１８とからなる３つの頂点を含む正三角形の領域である。第１中点１７は、実質的に、第１頂点１１と第２頂点１２とを結ぶ第１辺１４の中点である。本明細書において、実質的にある辺の中点であることは、当該辺の中点から当該辺の長さの５％以内の範囲に存在する点であることを意味する。特定的には、第１中点１７は、第１頂点１１と第２頂点１２とを結ぶ第１辺１４の中点であってもよい。第２中点１８は、実質的に、第１頂点１１と第３頂点１３とを結ぶ第２辺１５の中点である。特定的には、第２中点１８は、第１頂点１１と第３頂点１３とを結ぶ第２辺１５の中点であってもよい。
【００１５】
第２の領域１０ｂは、第１中点１７と、第２中点１８と、第２頂点１２と、第３頂点１３とからなる４つの頂点を含む台形の領域である。特定的には、第２の領域１０ｂは、等脚台形の領域であってもよい。第１の領域１０ａは、第２の領域１０ｂと、色、色の濃さ、光透過率、光吸収率、光反射率及び光拡散率の少なくとも１つにおいて異なっている。
【００１６】
図１及び図３に示されるように、裏面２０は、第３の領域２０ａと第４の領域２０ｂとからなる。第３の領域２０ａは、第４頂点２１と、第３中点２７と、第４中点２８とからなる３つの頂点を含む正三角形の領域である。第３中点２７は、実質的に、第４頂点２１と第５頂点２２とを結ぶ第３辺２４の中点である。特定的には、第３中点２７は、第４頂点２１と第５頂点２２とを結ぶ第３辺２４の中点であってもよい。第４中点２８は、実質的に、第４頂点２１と第６頂点２３とを結ぶ第４辺２５の中点である。特定的には、第４中点２８は、第４頂点２１と第６頂点２３とを結ぶ第４辺２５の中点であってもよい。
【００１７】
第４の領域２０ｂは、第３中点２７と、第４中点２８と、第５頂点２２と、第６頂点２３とからなる４つの頂点を含む台形の領域である。特定的には、第４の領域２０ｂは、等脚台形の領域であってもよい。第３の領域２０ａは、第４の領域２０ｂと、色、色の濃さ、光透過率、光吸収率、光反射率及び光拡散率の少なくとも１つおいて異なっている。
【００１８】
特定的には、第１の領域１０ａは、第４の領域２０ｂと、色、色の濃さ、光透過率、光吸収率、光反射率及び光拡散率において実質的に等しくてもよい。言い換えると、第１の領域１０ａ及び第４の領域２０ｂを目視したときに、第１の領域１０ａ及び第４の領域２０ｂの輪郭形状の違いを除いて、第１の領域１０ａは第４の領域２０ｂと区別されなくてもよい。さらに特定的には、第２の領域１０ｂは、第３の領域２０ａと、色、色の濃さ、光透過率、光吸収率、光反射率及び光拡散率において実質的に等しくてもよい。言い換えると、第２の領域１０ｂ及び第３の領域２０ａを目視したときに、第２の領域１０ｂ及び第３の領域２０ａの輪郭形状の違いを除いて、第２の領域１０ｂは第３の領域２０ａと区別されなくてもよい。
【００１９】
色、色の濃さ、光透過率、光吸収率、光反射率及び光拡散率の少なくとも１つを、第１の領域１０ａと第２の領域１０ｂとの間、または、第３の領域２０ａと第４の領域２０ｂとの間で異ならせる方法を例示する。第１の領域１０ａと第２の領域１０ｂとに異なる色を有するインクを塗布することによって、第１の領域１０ａの色を、第２の領域１０ｂの色と異ならせることができる。第３の領域２０ａを鏡面加工し、かつ、第４の領域２０ｂを粗面加工することによって、第３の領域２０ａの光拡散率を、第４の領域２０ｂの光拡散率と異ならせることができる。
【００２０】
図４から図６に示されるように、板状部材集合体３０，３０ｂは、複数の板状部材１が互いに組み合わされることにより構成されている。複数の板状部材１のうち互いに隣り合う板状部材１の一方と他方とは、第１辺１４、第２辺１５、第３辺２４、第４辺２５、第５辺１６及び第６辺２６のうちの２つが互いに対向するように組み合わされている。第５辺１６は、第２頂点１２と第３頂点１３とを結んでいる。第６辺２６は、第５頂点２２と第６頂点２３とを結んでいる。複数の板状部材１は、図４及び図５に示されるように、フレーム３２に固定されてもよい。複数の板状部材１は、接着剤またはセメントのような接合部材を介して互いに接合されてもよい。複数の板状部材１は、互いに縫い合わされてもよい。
【００２１】
本実施の形態の板状部材１及び板状部材集合体３０，３０ｂの効果を説明する。最初に、第１の領域１０ａは、第４の領域２０ｂと、色、色の濃さ、光透過率、光吸収率、光反射率及び光拡散率において実質的に等しく、かつ、第２の領域１０ｂは、第３の領域２０ａと、色、色の濃さ、光透過率、光吸収率、光反射率及び光拡散率において実質的に等しく、かつ、第１の領域１０ａと第２の領域１０ｂとは色のみが異なる場合について検討する。
【００２２】
本実施の形態の板状部材１は、第１の正三角形の輪郭を有するおもて面１０と、第２の正三角形の輪郭を有する裏面２０とを含む。おもて面１０は、第１の領域１０ａと第２の領域１０ｂとからなっている。裏面２０は、第３の領域２０ａと第４の領域２０ｂとからなっている。このように本実施の形態の板状部材１は、簡易な構造を有している。
【００２３】
複数の板状部材１の各々の配向と、複数の板状部材１の並べ方とを変化させることによって、板状部材集合体３０，３０ｂのデザインを、例えば、図４に示される第１のデザイン（親亀と子亀のデザイン）と図５に示される第２のデザイン（枯れ木のデザイン）との間で変更することができる。さらに、板状部材集合体３０，３０ｂのデザインとして、図６に示される第３のデザイン（風車のデザイン）を実現することもできる。
【００２４】
図４から図６に示される板状部材集合体３０，３０ｂの第１から第３のデザインは例示に過ぎず、複数の板状部材１の各々の配向と、複数の板状部材１の並べ方とを変化させることによって、非常に多様なデザインを有する板状部材集合体３０，３０ｂを得ることができる。例えば、２枚の板状部材１を菱形の形状に並べると、１９種類のデザインを実現することができる。３枚の板状部材１を等脚台形の形状に並べると、１９２種類のデザインを実現することができる。そのため、図４及び図５に示されるような７８枚の板状部材１をフレーム３２に規定される六角形の形状に並べて板状部材集合体３０を形成すると、非常に多くの種類のデザインを有する板状部材集合体３０を得ることができる。さらに、第１の領域１０ａ、第２の領域１０ｂ、第３の領域２０ａ及び第４の領域２０ｂにおいて、色、色の濃さ、光透過率、光吸収率、光反射率及び光拡散率をさらに変化させることにより、さらに多くの種類のデザインを有する板状部材集合体３０，３０ｂを得ることができることは明らかである。このように、本実施の形態の板状部材１及び板状部材集合体３０，３０ｂは、簡易な構造を有するとともに、高いデザインの自由度を有する。
【００２５】
（実施の形態２）
図７から図１０を参照して、実施の形態２に係る板状部材セット３及び板状部材集合体３０ｃを説明する。板状部材集合体３０ｃは、図１０に示されるように、装飾パネルであってもよい。板状部材集合体３０ｃは、特に限定されないが、パズル、積み木または組立ブロックのような玩具、舗道、床または壁であってもよい。
【００２６】
図７に示されるように、板状部材セット３は、第１主面４０を含む第１の板状部材４と、第２主面５０を含む第２の板状部材５とを備える。第１の板状部材４及び第２の板状部材５は、図１０に示されるように、装飾パネルのピースであってもよい。第１の板状部材４及び第２の板状部材５は、特に限定されないが、パズル、積み木または組立ブロックのような玩具のピース、舗装材、床材または壁材であってもよい。第１の板状部材４及び第２の板状部材５は、例えば、厚紙、樹脂、セラミック、煉瓦、布または金属で構成されてもよい。第１の板状部材４及び第２の板状部材５は、硬質部材であってもよいし、可撓性部材であってもよい。
【００２７】
図７及び図８に示されるように、第１主面４０は、第１頂点４１と第２頂点４２と第３頂点４３とを含む第１の正三角形の輪郭を有する。第１主面４０は、第１の領域４０ａと第２の領域４０ｂとからなる。第１の領域４０ａは、第１頂点４１と、第１中点４７と、第２中点４８とからなる３つの頂点を含む正三角形の領域である。第１中点４７は、実質的に、第１頂点４１と第２頂点４２とを結ぶ第１辺４４の中点である。特定的には、第１中点４７は、第１頂点４１と第２頂点４２とを結ぶ第１辺４４の中点であってもよい。第２中点４８は、実質的に、第１頂点４１と第３頂点４３とを結ぶ第２辺４５の中点である。特定的には、第２中点４８は、第１頂点４１と第３頂点４３とを結ぶ第２辺４５の中点であってもよい。
【００２８】
第２の領域４０ｂは、第１中点４７と、第２中点４８と、第２頂点４２と、第３頂点４３とからなる４つの頂点を含む台形の領域である。特定的には、第２の領域４０ｂは、等脚台形の領域であってもよい。第１の領域４０ａは、第２の領域４０ｂと、色、色の濃さ、光透過率、光吸収率、光反射率及び光拡散率の少なくとも１つにおいて異なっている。
【００２９】
図７及び図９に示されるように、第２主面５０は、第４頂点５１と第５頂点５２と第６頂点５３とを含む第２の正三角形の輪郭を有する。第２の正三角形は、実質的に、第１の正三角形に合同である。特定的には、第２の正三角形は、第１の正三角形に合同であってもよい。第２主面５０は、第３の領域５０ａと第４の領域５０ｂとからなる。第３の領域５０ａは、第４頂点５１と、第３中点５７と、第４中点５８とからなる３つの頂点を含む正三角形の領域である。第３中点５７は、実質的に、第４頂点５１と第５頂点５２とを結ぶ第３辺５４の中点である。特定的には、第３中点５７は、第４頂点５１と第５頂点５２とを結ぶ第３辺５４の中点であってもよい。第４中点５８は、実質的に、第４頂点５１と第６頂点５３とを結ぶ第４辺５５の中点である。特定的には、第４中点５８は、第４頂点５１と第６頂点５３とを結ぶ第４辺５５の中点であってもよい。
【００３０】
第４の領域５０ｂは、第３中点５７と、第４中点５８と、第５頂点５２と、第６頂点５３とからなる４つの頂点を含む台形の領域である。特定的には、第４の領域５０ｂは、等脚台形の領域であってもよい。第３の領域５０ａは、第４の領域５０ｂと、色、色の濃さ、光透過率、光吸収率、光反射率及び光拡散率の少なくとも１つおいて異なっている。
【００３１】
特定的には、第１の領域４０ａは、第４の領域５０ｂと、色、色の濃さ、光透過率、光吸収率、光反射率及び光拡散率において実質的に等しくてもよい。言い換えると、第１の領域４０ａ及び第４の領域５０ｂを目視したときに、第１の領域４０ａ及び第４の領域５０ｂの輪郭形状の違いを除いて、第１の領域４０ａは第４の領域５０ｂと区別されなくてもよい。さらに特定的には、第２の領域４０ｂは、第３の領域５０ａと、色、色の濃さ、光透過率、光吸収率、光反射率及び光拡散率において実質的に等しくてもよい。言い換えると、第２の領域４０ｂ及び第３の領域５０ａを目視したときに、第２の領域４０ｂ及び第３の領域５０ａの輪郭形状の違いを除いて、第２の領域４０ｂは第３の領域５０ａと区別されなくてもよい。例えば、第１の領域４０ａ及び第４の領域５０ｂは遮光領域であり、第２の領域４０ｂ及び第３の領域５０ａは光透過領域であってもよい。
【００３２】
図１０に示されるように、板状部材集合体３０ｃは、複数の第１の板状部材４と複数の第２の板状部材５とが互いに組み合わされることにより構成されている。複数の第１の板状部材４と複数の第２の板状部材５のうち互いに隣り合う２つの一方と他方とは、第１辺４４、第２辺４５、第３辺５４、第４辺５５、第５辺４６及び第６辺５６のうちの２つが互いに対向するように組み合わされている。第５辺４６は、第２頂点４２と第３頂点４３とを結んでいる。第６辺５６は、第５頂点５２と第６頂点５３とを結んでいる。板状部材集合体３０ｃの一例では、複数の第１の板状部材４の第１の領域４０ａは全て遮光領域であり、複数の第１の板状部材４の第２の領域４０ｂは、互いに異なる色を有する着色透過領域であり、複数の第２の板状部材５の第４の領域５０ｂは全て遮光領域であり、かつ、複数の第２の板状部材５の第３の領域５０ａは、互いに異なる色を有する着色透過領域であってもよい。
【００３３】
複数の第１の板状部材４と複数の第２の板状部材５とは、図１０に示されるように、フレーム３２ｃに固定されてもよい。フレーム３２ｃには、装飾パネルのような板状部材集合体３０ｃを壁等に掛けるためのフック３４が取り付けられてもよい。複数の第１の板状部材４と複数の第２の板状部材５とは、接着剤またはセメントのような接合部材を介して互いに接合されてもよい。複数の第１の板状部材４と複数の第２の板状部材５とは、互いに縫い合わされてもよい。
【００３４】
本実施の形態の第１の板状部材４は、第１の正三角形の輪郭を有する第１主面４０を含む。本実施の形態の第２の板状部材５は、第２の正三角形の輪郭を有する第２主面５０を含む。第１主面４０は、第１の領域４０ａと第２の領域４０ｂとからなっている。第２主面５０は、第３の領域５０ａと第４の領域５０ｂとからなっている。このように本実施の形態の第１の板状部材４及び第２の板状部材５の各々は、簡易な構造を有している。
【００３５】
複数の第１の板状部材４及び複数の第２の板状部材５の各々の配向と、複数の第１の板状部材４及び複数の第２の板状部材５の並べ方とを変化させることによって、板状部材集合体３０ｃのデザインとして、例えば、図１０に示される第４のデザイン（かたつむりのデザイン）を実現することができる。図１０に示される板状部材集合体３０ｃの第４のデザインは例示に過ぎず、複数の第１の板状部材４及び複数の第２の板状部材５の各々の配向と、複数の第１の板状部材４及び複数の第２の板状部材５の並べ方とを変化させることによって、非常に多様なデザインを有する板状部材集合体３０ｃを得ることができる。
【００３６】
本実施の形態の板状部材セット３及び板状部材集合体３０ｃは、実施の形態１の板状部材１及び板状部材集合体３０ｃと同様の効果を奏する。すなわち、本実施の形態の板状部材セット３及び板状部材集合体３０ｃは、簡易な構造を有するとともに、高いデザインの自由度を有する。
【００３７】
（実施の形態３）
図１１から図１５を参照して、実施の形態３に係る物品６０，６０ｂを説明する。物品６０は、図１１に示されるように、カーペットまたはマットのような敷物であってもよい。物品６０ｂは、図１４に示されるように、ペン立てであってもよい。物品６０，６０ｂは、例えば、着物、手袋、帽子、ネクタイもしくはシャツのような衣類、布団、クッション、タオル、包装材または建築用化粧材であってもよい。物品６０，６０ｂは、例えば、筆箱、花瓶、袋またはバッグのような収容体であってもよい。物品６０，６０ｂは、例えば、筆記用具、ソファまたはテーブルのような家具、箸、茶碗、コップもしくはグラスのような食器類、または、テニスラケットもしくはゴルフクラブのようなスポーツ用具であってもよい。
【００３８】
図１２及び図１５に示されるように、物品６０，６０ｂは、複数の第１の部分７０と、複数の第２の部分８０とを含む。
【００３９】
図１３に示されるように、複数の第１の部分７０は、各々、第１頂点７１と第２頂点７２と第３頂点７３とを含む第１の正三角形の輪郭を有し、かつ、第１の領域７０ａと第２の領域７０ｂとからなる。第１の領域７０ａは、第１頂点７１と、第１中点７７と、第２中点７８とからなる３つの頂点を含む正三角形の領域である。第１中点７７は、実質的に、第１頂点７１と第２頂点７２とを結ぶ第１辺７４の中点である。特定的には、第１中点７７は、第１頂点７１と第２頂点７２とを結ぶ第１辺７４の中点であってもよい。第２中点７８は、実質的に、第１頂点７１と第３頂点７３とを結ぶ第２辺７５の中点である。特定的には、第２中点７８は、第１頂点７１と第３頂点７３とを結ぶ第２辺７５の中点であってもよい。
【００４０】
第２の領域７０ｂは、第１中点７７と、第２中点７８と、第２頂点７２と、第３頂点７３とからなる４つの頂点を含む台形の領域である。特定的には、第２の領域７０ｂは、等脚台形の領域であってもよい。第１の領域７０ａは、第２の領域７０ｂと、色、色の濃さ、光透過率、光吸収率、光反射率及び光拡散率の少なくとも１つにおいて異なっている。
【００４１】
図１３に示されるように、複数の第２の部分８０は、各々、第４頂点８１と第５頂点８２と第６頂点８３とを含む第２の正三角形の輪郭を有し、かつ、第３の領域８０ａと第４の領域８０ｂとからなる。第２の正三角形は、実質的に、第１の正三角形と合同である。特定的には、第２の正三角形は、第１の正三角形に合同であってもよい。第３の領域８０ａは、第４頂点８１と、第３中点８７と、第４中点８８とからなる３つの頂点を含む正三角形の領域である。第３中点８７は、実質的に、第４頂点８１と第５頂点８２とを結ぶ第３辺８４の中点である。特定的には、第３中点８７は、第４頂点８１と第５頂点８２とを結ぶ第３辺８４の中点であってもよい。第４中点８８は、実質的に、第４頂点８１と第６頂点８３とを結ぶ第４辺８５の中点である。特定的には、第４中点８８は、第４頂点８１と第６頂点８３とを結ぶ第４辺８５の中点であってもよい。
【００４２】
第４の領域８０ｂは、第３中点８７と、第４中点８８と、第５頂点８２と、第６頂点８３とからなる４つの頂点を含む台形の領域である。特定的には、第４の領域８０ｂは、等脚台形の領域であってもよい。第３の領域８０ａは、第４の領域８０ｂと、色、色の濃さ、光透過率、光吸収率、光反射率及び光拡散率の少なくとも１つにおいて異なっている。
【００４３】
図１３に示されるように、複数の第１の部分７０と複数の第２の部分８０のうち互いに隣り合う２つは、第１辺７４、第２辺７５、第３辺８４、第４辺８５、第５辺７６及び第６辺８６のうちの２つが互いに対向するように配置されている。第５辺７６は、第２頂点７２と第３頂点７３とを結んでいる。第６辺８６は、第５頂点８２と第６頂点８３とを結んでいる。例えば、図１３では、第５辺７６及び第６辺８６が互いに対向するように、第１の部分７０と第２の部分８０とが配置されている。
【００４４】
特定的には、第１の領域７０ａは、第４の領域８０ｂと、色、色の濃さ、光透過率、光吸収率、光反射率及び光拡散率において実質的に等しくてもよい。言い換えると、第１の領域７０ａ及び第４の領域８０ｂを目視したときに、第１の領域７０ａ及び第４の領域８０ｂの輪郭形状の違いを除いて、第１の領域７０ａは第４の領域８０ｂと区別されなくてもよい。さらに特定的には、第２の領域７０ｂは、第３の領域８０ａと、色、色の濃さ、光透過率、光吸収率、光反射率及び光拡散率において実質的に等しくてもよい。言い換えると、第２の領域７０ｂ及び第３の領域８０ａを目視したときに、第２の領域７０ｂ及び第３の領域８０ａの輪郭形状の違いを除いて、第２の領域７０ｂは第３の領域８０ａと区別されなくてもよい。
【００４５】
本実施の形態の複数の第１の部分７０は、各々、第１の正三角形の輪郭を有し、かつ、第１の領域７０ａと第２の領域７０ｂとからなっている。本実施の形態の複数の第２の部分８０は、各々、第２の正三角形の輪郭を有し、かつ、第３の領域８０ａと第４の領域８０ｂとからなっている。このように本実施の形態の複数の第１の部分７０及び複数の第２の部分８０の各々は、簡易な構造を有している。
【００４６】
複数の第１の部分７０及び複数の第２の部分８０の各々の配向と、複数の第１の部分７０及び複数の第２の部分８０の配列とを変化させることによって、物品６０，６０ｂのデザインとして、例えば、図１２に示される第５のデザインまたは図１５に示される第６のデザイン（文字「ｄ」のデザイン）を実現することができる。図１２及び図１５に示される物品６０，６０ｂの第５のデザイン及び第６のデザインは例示に過ぎず、複数の第１の部分７０及び複数の第２の部分８０の各々の配向と、複数の第１の部分７０及び複数の第２の部分８０の配列とを変化させることによって、非常に多様なデザインを有する物品６０，６０ｂを得ることができる。
【００４７】
本実施の形態の物品は、実施の形態１の板状部材集合体と同様の効果を奏する。すなわち、本実施の形態の物品は、簡易な構造を有するとともに、高いデザインの自由度を有する。
【００４８】
今回開示された実施の形態１−３はすべての点で例示であって制限的なものではないと考えられるべきである。本考案の範囲は、上記した説明ではなく実用新案登録請求の範囲によって示され、実用新案登録請求の範囲と均等の意味および範囲内でのすべての変更が含まれることを意図される。
【符号の説明】
【００４９】
１  板状部材、３  板状部材セット、４  第１の板状部材、５  第２の板状部材、１０  おもて面、１０ａ，４０ａ，７０ａ  第１の領域、１０ｂ，４０ｂ，７０ｂ  第２の領域、１１，４１，７１  第１頂点、１２，４２，７２  第２頂点、１３，４３，７３  第３頂点、１４，４４，７４  第１辺、１５，４５，７５  第２辺、１６，４６，７６  第５辺、１７，４７，７７  第１中点、１８，４８，７８  第２中点、２０  裏面、２０ａ，５０ａ，８０ａ  第３の領域、２０ｂ，５０ｂ，８０ｂ  第４の領域、２１，５１，８１  第４頂点、２２，５２，８２  第５頂点、２３，５３，８３  第６頂点、２４，５４，８４  第３辺、２５，５５，８５  第４辺、２６，５６，８６  第６辺、２７，５７，８７  第３中点、２８，５８，８８  第４中点、３０，３０ｂ，３０ｃ  板状部材集合体、３２，３２ｃ  フレーム、３４  フック、４０  第１主面、５０  第２主面、６０，６０ｂ  物品、７０  第１の部分、８０  第２の部分。
【図１】
0003214035.tif 000003
【図２】
0003214035.tif 000004
【図３】
0003214035.tif 000005
【図４】
0003214035.tif 000006
【図５】
0003214035.tif 000007
【図６】
0003214035.tif 000008
【図７】
0003214035.tif 000009
【図８】
0003214035.tif 000010
【図９】
0003214035.tif 000011
【図１０】
0003214035.tif 000012
【図１１】
0003214035.tif 000013
【図１２】
0003214035.tif 000014
【図１３】
0003214035.tif 000015
【図１４】
0003214035.tif 000016
【図１５】
0003214035.tif 000017